(57)【要約】　　　（修正有）【課題】工場生産品を使用した場合においても現地加工を皆無又は低減して、設置コストの低減を図る。支柱基礎工事の位置の誤差を補正して施工する。【解決手段】支柱基礎３に対して支柱を上下調整自在Ｂとし、支柱に対して枕木（横木）４を左右方向Ａおよびモノレール軌条長手方向に調整自在Ａとして、モノレール軌条１を支柱基礎３に対してニ次元的に位置調整自在とする。設置箇所において、支柱基礎位置に複数本の打込み支柱を現地施工の後、所定規格のものを選択した所定数の単位モノレール軌条１と、所定規格のものを選択した所定数の支柱と、所定数の枕木４とを、施工現地に用意する。そして、支柱基礎３に対して支柱を上下調整して固定し、支柱に対して横木（枕木）４を左右方向およびモノレール軌条長手方向に調整して固定する。打込み支柱の現地施工以外は、モノレール軌条１を支柱基礎３に対してニ次元的に位置調整して固定することを特徴とする。【選択図】図４
2004116274.tif 000002
【特許請求の範囲】
【請求項１】
支柱基礎に対して支柱を上下調整自在とし、
支柱に対して枕木を左右方向およびモノレール軌条長手方向に調整自在として、
モノレール軌条を支柱基礎に対してニ次元的に位置調整自在とすることを特徴とするモノレール式車椅子等昇降装置の軌条構造。
【請求項２】
支柱基礎に対して支柱を上下調整自在とし、
支柱に対して枕木を左右方向およびモノレール軌条長手方向に調整自在として、
モノレール軌条を支柱基礎に対してニ次元的に位置調整自在とし、
モノレール軌条に伸縮自在部を介在させることで、
左右湾曲、上下湾曲による全長変化に対応させたことを特徴とするモノレール式車椅子等昇降装置の軌条構造。
【請求項３】
単位モノレール軌条は、異なる寸法、直線または湾曲のものを数種類設定して工場製品として、支柱は、異なる寸法のものを数種類設定して工場製品として、枕木は、単一規格の物を工場製品として、それぞれ予め用意し、
設置箇所において、支柱基礎位置に複数本の打込み支柱を現地施工の後、
所定規格のものを選択した所定数の単位モノレール軌条と、所定規格のものを選択した所定数の支柱と、所定数の枕木とを、設置箇所に移送して、モノレール軌条設置工事に必要とする単位モノレール軌条、枕木、支柱を施工現地に用意し、
支柱基礎に対して支柱を上下調整して固定し、
支柱に対して枕木を左右方向およびモノレール軌条長手方向に調整自在として、
打込み支柱の現地施工以外は、モノレール軌条を支柱基礎に対してニ次元的に位置調整したのち、互いに固定することによる現地作業とすることを特徴とするモノレール式車椅子等昇降装置の軌条構造施工方法。
【発明の詳細な説明】
【０００１】
【発明の属する技術分野】
本願発明は、モノレール式車椅子等昇降装置およびその設置方法に関するものである。より詳しくは、モノレール式車椅子等昇降装置において、設置箇所が左右湾曲、上下傾斜角変化が存在するモノレール軌条の施工方法に関するものである。
【０００２】
【従来の技術】
モノレール式車椅子等昇降装置に関する公知技術として、単軌条を支柱により支持するものが存在する。
【０００３】
【特許文献１】実開平６−５１９０２号「ゴルフ場用の乗用運搬車」
【０００４】
【発明が解決しようとする課題】
現地の地形に適合させるべく、モノレール軌条は左右湾曲、上下傾斜角変化させているが、個々の現場に適合するものを個別設計で工場生産するか、現地加工により対応している。
本発明は、工場生産品を使用した場合においても現地加工を皆無又は低減して工場生産品の汎用性を高めて、設置コストの低減を図ることを課題とする。また、支柱基礎工事の位置の誤差を補正して所定の設計経路のモノレール軌条を施工することを課題とする。
【０００５】
【課題を解決するための手段】
本願第１発明は、支柱基礎に対して支柱を上下調整自在とし、支柱に対して枕木（横木）を左右方向およびモノレール軌条長手方向に調整自在として、モノレール軌条を支柱基礎に対して二次元的に位置調整自在とすることを特徴とする。
本願第２発明は、第１発明に加えて、モノレール軌条に伸縮自在部を介在させることで、左右湾曲、上下湾曲による全長変化に対応させたことを特徴とする。
本願第３発明は、単位モノレール軌条は、異なる寸法、直線または湾曲のものを数種類設定して工場製品として、支柱は、異なる寸法のものを数種類設定して工場製品として、枕木（横木）は、単一規格の物を工場製品として、それぞれ予め用意し、設置箇所において、支柱基礎位置に複数本の打込み支柱を現地施工の後、所定規格のものを選択した所定数の単位モノレール軌条と、所定規格のものを選択した所定数の支柱と、所定数の枕木とを、設置箇所に移送して、モノレール軌条設置工事に必要とする単位モノレール軌条、枕木、支柱を施工現地に用意し、支柱基礎に対して支柱を上下調整して固定し、支柱に対して横木（枕木）を左右方向およびモノレール軌条長手方向に調整自在として、打込み支柱の現地施工以外は、モノレール軌条を支柱基礎に対してニ次元的に位置調整したのち、互いに固定することによる現地作業とすることを特徴とする。
【０００６】
【発明の実施の態様】
本願第１発明は、上下位置調整自在連結構造Ｂにより、支柱基礎に対して支柱の固定位置を上下調整自在とし、二次元位置調整自在連結構造Ａにより、支柱に対して枕木を左右方向およびモノレール軌条長手方向に調整自在とする
本願第２発明は、第１発明に加えて、伸縮自在部Ｃにより、モノレール軌条１の全長を調整自在とする。
本願第３発明は、モノレール式車椅子等昇降装置の軌条構造施工にあたり、支柱基礎位置に複数本の打込み支柱を現地施工し、モノレール軌条は、異なる寸法、直線または湾曲のものを数種類設定して工場製品として、種々の規格の単位モノレール軌条の組合せにより構成する。支柱基礎に対して支柱の固定位置を上下位置調整自在連結構造Ｂにより調整する。支柱に対して枕木を二次元位置調整自在連結構造Ａにより、支柱に対して枕木を左右方向およびモノレール軌条長手方向に調整することを特徴とする。
【０００７】
【実施例】
以下実施例にもとづいて本願発明を詳細を説明する。
【０００８】
図３および図４を参照して、座高式モノレールの大要を説明する。
モノレール軌条１と支柱２とを、ニ次元位置調整自在連結構造Ａを介して連結固定し、支柱２と支柱基礎３とを、上下位置調整自在連結構造Ｂを介して連結固定して、モノレール軌条１を構築する。
車体１０は、車椅子、複数の乗客等を収容する車室１１、車室１１の下方のスカート部１２、ガイド部１３および駆動部１４により構成されている。
【０００９】
ガイド部１３は、図３の（ａ）を参照して、適宜の手段で軸支した３個のガイド輪１５で、モノレール軌条１を包囲して構成する。
【００１０】
駆動部１４は、図３の（ｂ）を参照して、駆動ケース１６内にモータＭ、減速機１７、走行歯輪１８を内蔵し、走行歯輪１８を、モノレール軌条１の表面の歯付きレール１９に係合させて構成する。
【００１１】
図５ないし図７を参照して、モノレール軌条を支柱に対してニ次元的に位置調整自在とするための、ニ次元位置調整自在連結構造Ａを説明する。
モノレール軌条１と一体の枕木（横木）４の両側端部より下方に向けてガイドブロック５突出させ、該ガイドブロック５の移動をレール長手方向に案内する第１ガイド６を設ける。
【００１２】
第１ガイドの中間端部より下方に向けて第２ガイドブロック７を突出させる。前記第２ガイドブロック７の移動を横方向（枕木方向）に案内する第２ガイド８を設ける。第２ガイド８の中間部下方に、支柱２の上端を固定する。
ガイドブロック５の固定位置の選択で支柱２に対する枕木４の相対レール長手方向位置を設定自在とし、第２ガイドブロック７の固定位置の選択で支柱２に対する枕木４の相対横方向位置を設定自在とする構成とする
【００１３】
図５、図１０および図１１を参照して、モノレール軌条１の上下傾斜、曲線部左右傾斜に対応すべく必要箇所には、支持角度調整装置３０を付加する。
図１０を参照して、上板３１と下板３２との間に球３３を中心位置に介装し、上板３１と下板３２に対し、長手方向上下傾斜（図１１）、左右傾斜（図１２）を自由とする球支構造を形成する。
上板３１と下板３２との間に弾性部材３３を介装して、支持角度調整装置３０の全体形状の変化に対応する。
【００１４】
図６および図７に示す支持角度調整装置３０Ａにおいては、軸支構造により、長手方向傾斜を自由とする。側板３５と側板３６に軸３７Ａを介して支柱２と一体の筒体３７を軸支する。
更に、図１３に示す支持角度調整装置（硬質傾斜板）３０Ｂの介装、図１４に示す硬質金属板３８と弾性板３９との多層構造傾斜板による支持角度調整装置３０Ｃによっても、左右傾斜、長手方向傾斜に対応できる。更に、わずかの傾斜に対しては、平板状の弾性板を介装することによっても目的を達成できる。
【００１５】
図３、４および図８を参照して、モノレール軌条を支柱基礎に対して上下位置調整自在連結構造Ｂを説明する。
現地施工の４本の打込み支柱２０の上端に平板２１を溶着し、平板２１と一体の筒体２２の中心孔に支柱２を貫通させて、平板２１に対する支柱２の相対上下位置を選択自在とし、ボルト２３により設定位置で支柱２を筒体２２に固定して、打込み支柱２０に対し支柱２の相対上下位置を設定自在とする構成とする。
【００１６】
図９を参照して、モノレール軌条１に形成する伸縮自在部Ｃを説明する。
モノレール軌条１の一部に空間部ｇを存在させ、内挿レール３０を介して対向するモノレール軌条１の端部を連続させる構成とし、空間部ｇの長さの選択によりモノレール軌条の全長を変更自在とする。
【００１７】
図１および図２は、モノレール軌条１の設置例を示し、図１は平面視での湾曲区間ＨＲ１を中間として直線区間Ｈ１、Ｈ２とで構成する。
図２は高低差を示し、高低差での湾曲区間ＶＲ１、ＶＲ２、ＶＲ３、ＶＲ４を、高低差での直線区間Ｖ１、Ｖ２、Ｖ３、Ｖ４、Ｖ５の間に介在している。
【００１８】
本願発明による軌条構造の設置方法の実施について説明する。
単位モノレール軌条１ａは、異なる寸法、直線または湾曲のものを数種類設定して工場製品として、支柱は、異なる寸法のものを数種類設定して工場製品として、枕木（横木）２は、単一規格の物を工場製品として、それぞれ予め用意する。なお、直線区間Ｖ１、Ｖ２、Ｖ３・・・・、湾曲区間ＶＲ１、ＶＲ２・・・・、湾曲区間ＨＲ１、ＨＲ２・・・は、それぞれ単一または複数個の単位モノレール軌条１ａにより構成する。
【００１９】
設置箇所において、支柱基礎位置に複数本の打込み支柱２０を現地施工する。
【００２０】
所定規格のものを選択した所定数の単位モノレール軌条と、所定規格のものを選択した所定数の支柱と、所定数の横木とを、設置箇所に移送して、モノレール軌条設置工事に必要とする単位モノレール軌条、横木、支柱を施工現地に用意する。
【００２２】
図１および図２の設置例において、平面視で直線区間Ｈ１について、高低差での直線区間Ｖ１、高低差での湾曲区間ＶＲ１、直線区間Ｖ２で構成する。
平面視での湾曲区間ＨＲ１について、高低差で直線区間Ｖ２とする。
平面視で直線区間Ｈ２について、高低差での湾曲区間ＶＲ２、高低差での直線区間Ｖ３、高低差での湾曲区間ＶＲ３、同直線区間Ｖ４、同湾曲区間ＶＲ５および直線区間Ｖ５で構成する。
【００２３】
支柱基礎Ｂに対して支柱２を上下位置調整自在連結構造Ｂにより上下調整して固定し、個々の横木（枕木）４について、その高さ位置を設定する。
【００２４】
モノレール軌条１の横木（枕木）４と支柱２とを、ニ次元位置調整自在連結構造Ａを介して連結固定し、個々の横木（枕木）４について、モノレール軌条１の左右方向およびモノレール軌条長手方向に調整して、個々の横木（枕木）４について、その左右方向位置およびモノレール軌条長手方向位置を設定する。
【００２５】
必要に応じて、伸縮自在区間Ｃを介在させ、空間部ｇの調整により、モノレール軌条の全長を調整する。
【００２６】
【発明の効果】
本発明は、現地施工を支柱基礎工事のみとするとともに、現地の地形に適合させるべく、モノレール軌条を左右湾曲、上下傾斜角変化させている施工箇所についても、工場生産品を使用して、工場生産品の汎用性を高めて、設置コストの低減する効果を有する。
さらに、本発明は、工場生産品を使用するが、支柱基礎工事の位置の誤差を補正して所定の設計経路のモノレール軌条の施工を可能とする。
【図面の簡単な説明】
【図１】モノレール軌条の施工例を示す平面図である。
【図２】同じく側面図。
【図３】同じく拡大部分側面図である。
【図４】本願発明によるモノレール軌条支持構造を示し、ａ図はモノレール軌条の横断方向縦断面図、ｂ図は駆動構造を示す縦断面図である。
【図５】ニ次元位置調整自在連結構造および上下位置調整自在連結構造の斜視図である。
【図６】ニ次元位置調整自在連結構造のモノレール軌条断面方向の縦断面図である。
【図７】ニ次元位置調整自在連結構造のモノレール軌条側面視の側面図である。
【図８】上下位置調整自在連結構造の斜視図である。
【図９】軌条伸縮のための伸縮自在部の種々の実施例を示す正面図である。
【図１０】支持角度調整装置を示し、ａ図は斜視図、ｂ図は縦断面図である。
【図１１】同じく軌条長手方向傾斜状態を示し、ａ図は正面図、ｂ図は側面図である。
【図１２】同じく左右方向傾斜状態を示し、ａ図は正面図、ｂ図は側面図である。
【図１３】支持角度調整装置の他の実施例を示す斜視図である。
【図１４】支持角度調整装置の更に他の実施例を示す斜視図である。
【符号の説明】
１　モノレール軌条
２　支柱
３　支柱基礎
４　枕木（横木）
２０　打込み支柱
３０　支持角度調整装置
Ａ　位置調整自在連結構造
Ｂ　上下位置調整自在連結構造
Ｃ　伸縮自在区間
【図１】
2004116274.tif 000003
【図２】
2004116274.tif 000004
【図３】
2004116274.tif 000005
【図４】
2004116274.tif 000006
【図５】
2004116274.tif 000007
【図６】
2004116274.tif 000008
【図７】
2004116274.tif 000009
【図８】
2004116274.tif 000010
【図９】
2004116274.tif 000011
【図１０】
2004116274.tif 000012
【図１１】
2004116274.tif 000013
【図１２】
2004116274.tif 000014
【図１３】
2004116274.tif 000015
【図１４】
2004116274.tif 000016